(57)【特許請求の範囲】
【請求項１】
対向面が左右対称の一対の分割リ−ルを組み合わせて構成したリ−ルにおいて、各分割リ−ルは中心部にハブ部をもち、このハブ部は大径ハブと、小径ハブとにより形成され、中心位置には回転軸の軸孔があり、大小ハブ間には放射状に設けたア−ムにより連結状態になっており、各ハブ部の対向面に少なくとも１８０度以内の範囲で前記対向面の内外周側何れかに沿って凹溝があり、残る１８０度以内の範囲で前記対向面の内外周側何れかに沿って凸条があり、前記凹溝に前記凸条が嵌るようになっていて、前記ア−ムの両側には挟持爪があり、この挟持爪が他の分割リ−ルのア−ムを挟持するようになっていて、この挟持爪と周方向に間隔を置いて大径バブ部の内側に沿って凹陥部が、この凹陥部と対象位置で、かつ大径ハブ部の対向面に前記凹陥部に嵌る爪片が突出して形成されている構成であることを特徴とするリ−ル。
【発明の詳細な説明】
【０００１】
【発明の属する技術分野】
本発明はリ−ルに関し、さらに詳しくは、電子部品などを保護、管理、取扱するためのキャリアテ−プを巻取るためのリ−ルに関する。
【０００２】
【従来の技術】
従来よく知られているこの種のリ−ルはＩＣなどの電子部品を自動装填装置に供給するためや、取扱易さを向上させるために使用されているもので、とくに、静電破壊を防止するために開発されたものにあっては、静電気が帯電しにくいダンボ−ル紙製のリ−ルが用いられている。静電気から電子部品を守るという見地をからは一応の満足は得られるのであるが、ダンボール紙製のリールでは寸法的な精度が劣り、湿度の影響を受けやすいなどの問題や、強度の上の問題があって、たとえば、運搬途上や取扱中に変形したり破損することがあった。具体的には、実開平２−８０６７０号公報を挙げることができる。
【０００３】
【発明が解決しようとする課題】
そのために機械的な強度が大きいプラスチック製のリ−ルが提案されており、このリ−ルによればダンボ−ル製のリ−ルの欠点を補うことができるのである。この種のリ−ルはハブ部を接着剤により結合したり、超音波接合により一体化するために、接合のための特別な設備や、接着剤がハブ部の周面にはみ出したりする欠点があり、一概にプラスッチクス製のリ−ルにより従来リ−ルの問題が全て解決されるわけではない。
とくに問題は、射出成形により一体成形しようとすれば、金型は２個のスライドコアが必要であり、これらのスライドストロ−クのために大型の射出成形機が必要になり、金型をはじめとする設備費用が高いものになってしまう問題があった。
そこで、一対のリールを同一金型により成形することで、必要金型の数を半減させる試みが知られている（例えば、実開平４−４００７４号公報）。
【０００４】
【問題点を解決するための手段】
上述のような問題点を解決するために本発明は、対向面が左右対称の一対の分割リ−ルを組み合わせて構成したリ−ルにおいて、各分割リ−ルは中心部にハブ部をもち、このハブ部は大径ハブと、小径ハブとにより形成され、中心位置には回転軸の軸孔があり、大小ハブ間には放射状に設けたア−ムにより連結状態になっており、各ハブ部の対向面に少なくとも１８０度以内の範囲で前記対向面の内外周側何れかに沿って凹溝があり、残る１８０度以内の範囲で前記対向面の内外周側何れかに沿って凸条があり、前記凹溝に前記凸条が嵌るようになっていて、前記ア−ムの両側には挟持爪があり、この挟持爪が他の分割リ−ルのア−ムを挟持するようになっていて、この挟持爪と周方向に間隔を置いて大径バブ部の内側に沿って凹陥部が、この凹陥部と対象位置で、かつ大径ハブ部の対向面に前記凹陥部に嵌る爪片が突出して形成されている構成であることを特徴とするものである。
このようなリ−ルによれば、射出成形することができるのでプラスチックス製のリ−ルの利点を生かしながら、成形設備費の増大を防ぎ、なおかつ金型の少数化を図ることができる。
【０００５】
【発明の実施の形態】
以下、本発明の実施の形態を添付した図面に沿って説明する。先ず、符号１０と、２０は面対称形の分割リ−ルを示し、この分割リ−ル１０、２０とで対を構成している。したがって以下の説明では片方の分割リ−ル１０を代表させて説明を加える。
分割リ−ル１０は円形のフランジ部１１と、その中心部に位置するハブ部１２をもち、さらに、このハブ部１２は大径ハブ部１３と、その内側に位置する小径ハブ部１４により形成されている。この大径ハブ部１３と、小径ハブ部１４との間には放射状に延びている４本のア−ム１５により両者が連結状態になって一体化されている。このア−ム１５のうちの隣り合った二つのア−ム１５Ａ、１５Ｂの両側には爪片１６、１６が形成されており、この爪片１６、１６の間隔はア−ム１５の幅寸法、言い換えると、ア−ム１５Ａ、１５Ｂと対向する分割リール２０のア−ム２５Ａ、２５Ｂを挟持するに適した寸法に定められている。
【０００６】
さらに、このハブ部１２の大径ハブ部１３と、その内側に位置する小径ハブ部１４の分割リール２０と対向端面（言い換えると、対を構成する分割リール１０、２０の対向面）において、大径ハブ部１３には、周方向約１８０度内の範囲において大径ハブ部１３の肉厚の凡そ半分の幅で外周側に階段状の凹溝１３Ａが形成されており、内周側に凸条１３Ｂが形成されている。残る周方向約１８０度内の範囲においては外周側に凸条１３Ｂが形成され、その内周側には階段状の凹溝１３Ｃが形成されている。実際には、１８０度内の範囲は１７５度程度てあって、凹溝１３Ａと、凸条１３Ｂとに境界には凸条も凹溝もなく、大径部１３Ａの対向端面１３Ｙのままになっている。
これら凹溝１３Ａ、凸条１３Ｂとは大径ハブ部１３の周方向の交互に形成してあって、分割リール１０を分割リール２０と対向させて結合したとき、分割リール１０の凹溝１３Ａ中に、分割リール２０の凸条２３Ｂが位置して互いにかみ合った状態になって結合状態を保つことができるようになっている。
【０００７】
また、大径ハブ部１３の内側には、一か所だけに大径ハブ部１３の高さより高い爪突起１７が形成されて対向端面より突出している。さらに、爪突起１７と向かい合った位置、言い換えると、爪突起１７と周方向１８０度位置を変えたところには、分割リ−ル２０のもつ爪突起２７が嵌ることができる凹陥部１８が前記凹溝１３Ａに端部が開放された状態で形成されている。その両側には大径ハブ部１３を補強するためのリブ１８Ａが形成されている。
【０００８】
前記凸条１３、２３の対向端縁にはハブ部１２の内側に向かって低くなる傾斜面１３Ｘ，２３Ｘが形成されていて、分割リール１０、２０を結合したとき、凹溝１３Ａに位置する凸条２３との間において、この傾斜面１３Ｘ，２３Ｘの突縁がそれぞれ前記凹溝１３Ａ，２３Ａの角に当たり、その一方でそれぞれ傾斜面１３Ｘと２３Ｘの反対側端縁では開放した横向きのＶ形をした空間Ｚを形成することができるようになっている。
【０００９】
この空間Ｚは前記分割リ−ル１０、２０を互いに対向させて位相を必要角度だけずらせた後、対向面を合わせて結合させた状態で超音波接合させることで、溶融樹脂が溜まり込む空間として機能し、この溶融樹脂により両者が一体的に結合されるのである。
【００１０】
さらに、小径ハブ部１４の内側で、かつ、中心位置には回転軸を挿入する軸孔１９があり、この軸孔１９には回転軸とスプライン結合できるようにスプライン部が形成されている。
【００１１】
そして、分割リ−ル２０についても前述の分割リ−ル１０同様の形状をしているので詳しい説明は省略するが、図面上においては符号２０代を付してあり、分割リ−ル１０と対応させてある。
【００１２】
次に、本発明のリ−ルを構成するための組み立て作業について説明する。先ず、分割リ−ル１０、２０を互いにハブ部１２、２２の対向端面を向かい合わせて両者を結合させる。この状態では両者は一体化していないが、結合状態にはなっている。このような状態では分割リ−ル１０の爪片１６、１６が、分割リ−ル２０のア−ム２５Ａ，２５Ａを捉えており、また分割リ−ル２０の爪片２６、２６が分割リ−ル１０のア−ム１５、１５を捉えている。
【００１３】
さらに、分割リール１０の凹溝１３Ａ中に、分割リール２０の大径ハブ部２３の凸条２３Ｂが位置して収容され、凹溝１３Ａと凸条２３Ｂの傾斜面２３Ｘとの間において開放した空間Ｚを形成することになっている。
勿論、大径ハブ部２３の凹溝２３Ａの中に、分割リール１０のもつ大径ハブ部１３の凸条１３Ｂが位置して収容され、凹溝２３Ａと凸条１３Ｂの傾斜面１３Ｘとの間において開放した空間Ｚを形成している。
また、この状態において爪突起１７は分割リール２０の凹陥部２８に嵌り、さらにまた、爪突起２７は分割リール１２０の凹陥部１８に嵌っている。
この状態において、超音波接合により両者を一体化加工するのであって、溶融した樹脂が前記空間Ｚに溶け込んで両者を一体化するのである。
【００１４】
以上はハブ部１２、２２の大径ハブ部１３、２３について説明したが、小径ハブ１４、２４の対向端面にも小凸条１４Ａ、２４Ａが形成されていて、その周方向の長さは中心角にして１８０度以内になっている。
【００１５】
以上の説明では、左右面対称は対向面が対称であることを意味していて、また、凹溝、凸条の周方向の長さについてほぼ半周長のものを挙げて説明したが、４分の１の周長にわけて凹溝、凸条を互いに交互に形成したものてあってもよく、また、凹凸の関係を逆にして形成することも可能である。
【００１６】
【発明の効果】
以上の説明から明らかなように、本発明のリ−ルによれば、プラスチックス製のリ−ルのもつ特徴、すなわち、変形に強く、大量生産に適し、しかも分割リ−ルの対向面が左右対称形であるので、同一形状の金型により射出成形することができ、金型の少数化に寄与することができるなどの効果がある。
【図面の簡単な説明】
【図１】  本発明のリ−ル組立状態の斜面図である。
【図２】  本発明の分割リ−ルの側面図である。
【図３】  同ハブ部の拡大側面図である。
【図４】  ハブ部の結合状態を示す部分断面図である。
【図５】  図４の一部拡大断面図である。
【図６】  図５における溶着状態の拡大断面図である。
【図７】  本発明のリ−ルの分解状態の斜面図である。
【符号の説明】
１０、２０  分割リ−ル
１１、２１  フランジ
１２、２２  ハブ部
１３、２３  大径ハブ部
１４、２４  小径ハブ部
【図１】
0003699220.tif 000002
【図２】
0003699220.tif 000003
【図３】
0003699220.tif 000004
【図４】
0003699220.tif 000005
【図５】
0003699220.tif 000006
【図６】
0003699220.tif 000007
【図７】
0003699220.tif 000008